【手続補正書】
【提出日】平成28年1月14日(2016.1.14)
【手続補正１】
【補正対象書類名】特許請求の範囲
【補正対象項目名】全文
【補正方法】変更
【補正の内容】
【特許請求の範囲】
【請求項１】
増幅器の出力端子と回路接地との間に選択的に接続され、且つ、増幅帯域を第１の周波数帯域から第２の周波数帯域に調節するように構成された第１の帯域選択回路と、
前記増幅帯域を前記第１の周波数帯域に設定するように構成された第２の帯域選択回路と、前記第２の帯域選択回路は、前記出力端子と前記回路接地との間に接続された選択されたキャパシタを備える、
前記第１の帯域選択回路と前記回路接地との間に選択的に接続され、且つ、前記増幅帯域が前記第１の周波数帯域に設定されたときに、前記第１の周波数帯域に関連付けられた第二高調波周波数を低減させるように構成された第１の高調波低減回路と
を備える装置。
【請求項２】
前記第２の帯域選択回路は、
前記出力端子と電源電圧との間に接続された第１のインダクタ
を備える、請求項１に記載の装置。
【請求項３】
前記第１の帯域選択回路は、
前記出力端子に接続された第１のインダクタと、
前記第１のインダクタに接続された第１のキャパシタと、
前記増幅帯域を前記第２の周波数帯域に設定するために前記第１のキャパシタを前記回路接地に選択的に接続するように構成されたスイッチと
を備える、請求項１に記載の装置。
【請求項４】
前記第１の高調波低減回路は、
前記第１のインダクタに接続された第２のキャパシタと、
前記増幅帯域が前記第１の周波数帯域に設定されたときには、前記第１の周波数帯域における前記第二高調波周波数の低減をイネーブルにし、前記増幅帯域が前記第２の周波数帯域に設定されたときには、前記第２の周波数帯域の中央周波数を同調するために、前記第２のキャパシタを前記回路接地に選択的に接続するように構成されたスイッチと
を備える、請求項３に記載の装置。
【請求項５】
前記増幅器は、第１のトランジスタ及び第２のトランジスタを備え、前記出力端子は、前記第１のトランジスタのドレイン端子に接続される、請求項１に記載の装置。
【請求項６】
前記第２のトランジスタのソース端子に結合され、前記増幅帯域が前記第２の周波数帯域に設定されたときに第二高調波周波数を低減させるように構成された第２の高調波低減回路を更に備える、請求項５に記載の装置。
【請求項７】
前記第２の高調波低減回路は、
前記第２のトランジスタの前記ソース端子と、前記回路接地との間に接続されたインダクタと、
前記第２のトランジスタの前記ソース端子と前記回路接地との間に接続されたキャパシタと
を備える、請求項６に記載の装置。
【請求項８】
前記第１の周波数帯域は、前記第２の周波数帯域の第２の中央周波数よりも周波数が低い第１の中央周波数を有する、請求項１に記載の装置。
【請求項９】
増幅器の増幅帯域を第１の周波数帯域から第２の周波数帯域に調節するための手段と、調節するための前記手段は、前記増幅器の出力端子と回路接地との間に選択的に接続される、
前記増幅器の前記増幅帯域を前記第１の周波数帯域に設定するための手段と、設定するための前記手段は、前記出力端子と前記回路接地との間に選択されたキャパシタを提供するための手段含む、
前記増幅帯域が前記第１の周波数帯域に設定されたときに、前記第１の周波数帯域における第二高調波周波数を低減させるための手段と、低減させるための前記手段は、調節するための前記手段と前記回路接地との間に接続される、
を備える装置。
【請求項１０】
前記増幅器の前記増幅帯域を前記第１の周波数帯域に設定するための前記手段は、
前記出力端子と電源電圧との間に接続された第１のインダクタ
を備える、請求項９に記載の装置。
【請求項１１】
調節するための前記手段は、
前記出力端子に接続された第１のインダクタと、
前記第１のインダクタに接続された第１のキャパシタと、
前記増幅帯域を前記第２の周波数帯域に設定するために、前記第１のキャパシタを前記回路接地に選択的に接続するように構成されたスイッチと
を備える、請求項９に記載の装置。
【請求項１２】
低減させるための前記手段は、
前記第１のインダクタに接続された第２のキャパシタと、
前記増幅帯域が前記第１の周波数帯域に設定されたときには、前記第１の周波数帯域における前記第二高調波周波数の低減をイネーブルにし、前記増幅帯域が前記第２の周波数帯域に設定されたときには、前記第２の周波数帯域の中央周波数を同調するために、前記第２のキャパシタを前記回路接地に選択的に接続するように構成されたスイッチと
を備える、請求項１１に記載の装置。
【請求項１３】
前記増幅器は、第１のトランジスタ及び第２のトランジスタを備え、前記出力端子は、前記第１のトランジスタのドレイン端子に接続される、請求項９に記載の装置。
【請求項１４】
前記第２のトランジスタのソース端子に接続され、且つ、前記増幅帯域が前記第２の周波数帯域に設定されたときに第二高調波周波数を低減させるように構成されたトラップするための手段を更に備える、請求項１３に記載の装置。
【請求項１５】
トラップするための前記手段は、
前記第２のトランジスタの前記ソース端子と、前記回路接地との間に接続されたインダクタと、
前記第２のトランジスタの前記ソース端子と前記回路接地との間に接続されたキャパシタと
を備える、請求項１４に記載の装置。
【請求項１６】
前記第１の周波数帯域は、前記第２の周波数帯域の第２の中央周波数よりも周波数が低い第１の中央周波数を有する、請求項９に記載の装置。
【請求項１７】
方法であって、
増幅器の増幅帯域が低周波数帯域に設定されることとなるか高周波数帯域に設定されこととなるかを決定することと、
前記増幅帯域が前記低周波数帯域に設定されることとなる場合には、前記増幅器の出力端子と回路接地との間に接続された選択されたキャパシタを有する第１の帯域選択回路をイネーブルにし、増幅器の前記出力端子と回路接地との間に接続された第２の帯域選択回路をディセーブルにすることと、
前記増幅帯域が前記高周波数帯域に設定されることとなる場合には、前記第１の帯域選択回路をイネーブルにし、前記第２の帯域選択回路をイネーブルにすることと、
を備える方法。
【請求項１８】
前記増幅帯域が前記低周波数帯域に設定されることとなる場合に、低帯域トラップ回路がイネーブルにされることとなるかどうかを決定することと、
前記低帯域トラップ回路がイネーブルにされることとなる場合に、前記低周波数帯域に関連付けられた第二高調波周波数を低減させるために前記低帯域トラップ回路をイネーブルにすることと
を更に備える、請求項１７に記載の方法。
【請求項１９】
前記増幅帯域が前記高周波数帯域に設定されることとなる場合に、前記高周波数帯域に関連付けられた第二高調波周波数を低減させるために高帯域トラップ回路をイネーブルにすることを更に備える、請求項１７に記載の方法。
【請求項２０】
前記低周波数帯域は、前記高周波数帯域の第２の中央周波数よりも周波数が低い第１の中央周波数を有する、請求項１７に記載の方法。
【手続補正２】
【補正対象書類名】明細書
【補正対象項目名】００３６
【補正方法】変更
【補正の内容】
【００３６】
[0040]  開示された例示的な実施形態の説明は、当業者であれば本発明の製造又は使用を可能にするために提供される。これら例示的な実施形態への様々な修正は、当業者には容易に明らかであり、本明細書で定義された包括的な原理は、本発明の精神又は適用範囲から逸脱することなく他の実施形態にも適用されうる。このように、本発明は、本明細書に示された例示的な実施形態に限定されるものであることを意図せず、本明細書で開示された原理及び新規な特徴と一致する最も広い範囲を与えられるべきである。
以下に本願発明の当初の特許請求の範囲に記載された発明を付記する。
［Ｃ１］
増幅器の出力端子と回路接地との間に選択的に接続され、且つ、増幅帯域を第１の周波数帯域から第２の周波数帯域に調節するように構成された第１の帯域選択回路と、
前記第１の帯域選択回路と前記回路接地との間に選択的に接続され、且つ、前記増幅帯域が前記第１の周波数帯域に設定されたときに、前記第１の周波数帯域に関連付けられた第二高調波周波数を低減させるように構成された第１の高調波低減回路と
を備える装置。
［Ｃ２］
前記増幅帯域を前記第１の周波数帯域に設定するように構成された第２の帯域選択回路を更に備え、前記第２の帯域選択回路は、
前記出力端子と電源電圧との間に接続された第１のインダクタと、
前記出力端子と前記回路接地との間に接続された第１のキャパシタと
を備える、Ｃ１に記載の装置。
［Ｃ３］
前記第１の帯域選択回路は、
前記出力端子に接続された第１のインダクタと、
前記第１のインダクタに接続された第１のキャパシタと、
前記増幅帯域を前記第２の周波数帯域に設定するために前記第１のキャパシタを前記回路接地に選択的に接続するように構成されたスイッチと
を備える、Ｃ１に記載の装置。
［Ｃ４］
前記第１の高調波低減回路は、
前記第１のインダクタに接続された第２のキャパシタと、
前記増幅帯域が前記第１の周波数帯域に設定されたときには、前記第１の周波数帯域における前記第二高調波周波数の低減をイネーブルにし、前記増幅帯域が前記第２の周波数帯域に設定されたときには、前記第２の周波数帯域の前記中央周波数を同調するために、前記第２のキャパシタを前記回路接地に選択的に接続するように構成されたスイッチと
を備える、Ｃ３に記載の装置。
［Ｃ５］
前記増幅器は、第１のトランジスタ及び第２のトランジスタを備え、前記出力端子は、前記第１のトランジスタのドレイン端子に接続される、Ｃ１に記載の装置。
［Ｃ６］
前記第２のトランジスタのソース端子に結合され、前記増幅帯域が前記第２の周波数帯域に設定されたときに第二高調波周波数を低減させるように構成された第２の高調波低減回路を更に備える、Ｃ５に記載の装置。
［Ｃ７］
前記第２の高調波低減回路は、
前記第２のトランジスタの前記ソース端子と、前記回路接地との間に接続されたインダクタと、
前記第２のトランジスタの前記ソース端子と前記回路接地との間に接続されたキャパシタと
を備える、Ｃ６に記載の装置。
［Ｃ８］
前記第１の周波数帯域は、前記第２の周波数帯域の第２の中央周波数よりも周波数が低い第１の中央周波数を有する、Ｃ１に記載の装置。
［Ｃ９］
増幅器の増幅帯域を第１の周波数帯域から第２の周波数帯域に調節するための手段と、調節するための前記手段は、前記増幅器の出力端子と回路接地との間に選択的に接続される、
前記増幅帯域が前記第１の周波数帯域に設定されたときに、前記第１の周波数帯域における第二高調波周波数を低減させるための手段と、低減させるための前記手段は、調節するための前記手段と前記回路接地との間に接続される、
を備える装置。
［Ｃ１０］
前記増幅器の前記増幅帯域を前記第１の周波数帯域に設定するための手段を更に備え、設定するための前記手段は、
前記出力端子と電源電圧との間に接続された第１のインダクタと、
前記出力端子と前記回路接地との間に接続された第１のキャパシタと
を備える、Ｃ９に記載の装置。
［Ｃ１１］
調節するための前記手段は、
前記出力端子に接続された第１のインダクタと、
前記第１のインダクタに接続された第１のキャパシタと、
前記増幅帯域を前記第２の周波数帯域に設定するために、前記第１のキャパシタを前記回路接地に選択的に接続するように構成されたスイッチと
を備える、Ｃ９に記載の装置。
［Ｃ１２］
低減させるための前記手段は、
前記第１のインダクタに接続された第２のキャパシタと、
前記増幅帯域が前記第１の周波数帯域に設定されたときには、前記第１の周波数帯域における前記第二高調波周波数の低減をイネーブルにし、前記増幅帯域が前記第２の周波数帯域に設定されたときには、前記第２の周波数帯域の前記中央周波数を同調するために、前記第２のキャパシタを前記回路接地に選択的に接続するように構成されたスイッチと
を備える、Ｃ１１に記載の装置。
［Ｃ１３］
前記増幅器は、第１のトランジスタ及び第２のトランジスタを備え、前記出力端子は、前記第１のトランジスタのドレイン端子に接続される、Ｃ９に記載の装置。
［Ｃ１４］
前記第２のトランジスタのソース端子に接続され、且つ、前記増幅帯域が前記第２の周波数帯域に設定されたときに第二高調波周波数を低減させるように構成されたトラップするための手段を更に備える、Ｃ１３に記載の装置。
［Ｃ１５］
トラップするための前記手段は、
前記第２のトランジスタの前記ソース端子と、前記回路接地との間に接続されたインダクタと、
前記第２のトランジスタの前記ソース端子と前記回路接地との間に接続されたキャパシタと
を備える、Ｃ１４に記載の装置。
［Ｃ１６］
前記第１の周波数帯域は、前記第２の周波数帯域の第２の中央周波数よりも周波数が低い第１の中央周波数を有する、Ｃ９に記載の装置。
［Ｃ１７］
方法であって、
増幅器の増幅帯域が低周波数帯域に設定されることとなるか高周波数帯域に設定されこととなるかを決定することと、
前記増幅帯域が前記低周波数帯域に設定されることとなる場合には、第１の帯域選択回路をイネーブルにし、第２の帯域選択回路をディセーブルにすることと、
前記増幅帯域が前記高周波数帯域に設定されることとなる場合には、前記第１の帯域選択回路をイネーブルにし、前記第２の帯域選択回路をイネーブルにすることと、
を備える方法。
［Ｃ１８］
前記増幅帯域が前記低周波数帯域に設定されることとなる場合に、低帯域トラップ回路がイネーブルにされることとなるかどうかを決定することと、
前記低帯域トラップ回路がイネーブルにされることとなる場合に、前記低周波数帯域に関連付けられた第二高調波周波数を低減させるために前記低帯域トラップ回路をイネーブルにすることと
を更に備える、Ｃ１７に記載の方法。
［Ｃ１９］
前記増幅帯域が前記高周波数帯域に設定されることとなる場合に、前記高周波数帯域に関連付けられた第二高調波周波数を低減させるために高帯域トラップ回路をイネーブルにすることを更に備える、Ｃ１７に記載の方法。
［Ｃ２０］
前記低周波数帯域は、前記高周波数帯域の第２の中央周波数よりも周波数が低い第１の中央周波数を有する、Ｃ１７に記載の方法。